(57)【要約】【課題】使用者が椅子に座ったまま移動する場合の移動性を向上させる。【解決手段】椅子１は、上方を向く座面１１を有する座１０と、座１０の後端側に設けられた背凭れ２０と、座１０および背凭れ２０を床面Ｆに対して移動可能に支持する支持構造体３０と、を備える。支持構造体３０は、床面Ｆに接することが可能な前輪３１と、前輪３１よりも後方に配置され、床面Ｆに常に接するように設けられた後輪３２と、後輪３２よりも後方に配置され、床面Ｆに接することが可能な後部支持部３３と、を有する。前輪３１および後輪３２は、幅方向Ｄｈに離間して一対設けられている。後輪３２の中心軸Ｏ３２は、座１０の後端部よりも前方に配置されている。幅方向Ｄｈから見た側面視において、前輪３１の下端と後部支持部３３の下端とを結ぶ線分Ｌ１は、後輪３２の下端よりも上方に配置されている。【選択図】図２
2018057785.tif 000002
【特許請求の範囲】
【請求項１】
上方を向く座面を有する座と、
前記座の後端側に設けられた背凭れと、
前記座および前記背凭れを設置面に対して移動可能に支持する支持構造体と、
を備え、
前記支持構造体は、
前記設置面に接することが可能な前輪と、
前記前輪よりも後方に配置され、前記設置面に常に接するように設けられた後輪と、
前記後輪よりも後方に配置され、前記設置面に接することが可能な後部支持部と、
を有し、
前記前輪および前記後輪の少なくとも一方は、前記座の幅方向に離間して一対設けられ、
前記後輪の中心軸は、前記座の後端部または前記背凭れの後端部よりも前方に配置され、
前記幅方向から見た側面視において、前記前輪の下端と前記後部支持部の下端とを結ぶ線分は、前記後輪の下端よりも上方に配置されている
椅子。
【請求項２】
請求項１に記載の椅子であって、
前記前輪および前記後輪はともに、前記幅方向に離間して一対設けられ、
前記一対の後輪は、前記幅方向において前記一対の前輪の間に位置している
椅子。
【請求項３】
請求項１または２に記載の椅子であって、
前記後部支持部は、前記設置面に接することが可能な補助車輪である
椅子。
【請求項４】
請求項１から３のいずれか一項に記載の椅子であって、
前記後輪の中心軸は、前記幅方向に略沿って延びており、
前記後輪の中心軸と前記座との相対角度は不変である
椅子。
【請求項５】
請求項１から４のいずれか一項に記載の椅子であって、
前記後輪の中心軸は、前記座の後端部よりも前方に配置されている
椅子。
【請求項６】
請求項５に記載の椅子であって、
前記座面は、前記後輪よりも上方に配置されている
椅子。
【請求項７】
請求項６に記載の椅子であって、
前記後輪は、前記幅方向において前記座の前記幅方向の両端部の間に位置している
椅子。
【請求項８】
請求項７に記載の椅子であって、
前記後輪は、平面視において前記後輪の全体が前記座に覆われるように配置されている
椅子。
【請求項９】
請求項６から８のいずれか一項に記載の椅子であって、
前記幅方向から見た側面視において、前記前輪および前記後輪の共通接線のうち前記前輪および前記後輪の下方に配置される共通接線に直交し前記椅子の重心を通る直線は、前記後輪の中心軸と略交差する
椅子。
【請求項１０】
請求項１から９のいずれか一項に記載の椅子であって、
前記後輪の径方向の寸法は、前記前輪の径方向の寸法よりも大きい
椅子。
【請求項１１】
請求項１から１０のいずれか一項に記載の椅子であって、
前記支持構造体は、
前記前輪及び前記後輪を支持する車輪支持部と、
前記車輪支持部と前記座とを連結する支持フレームと、
を備え、
前記支持フレームは、
前記前輪より後方、かつ前記後輪よりも前方で前記車輪支持部に連結された基端部と、
後方に向かって斜め上方に延びる斜行部と、
前記斜行部の上端部に形成され、前記座に連結される座連結部と、を備える
椅子。
【請求項１２】
請求項１１に記載の椅子であって、
前記基端部と前記斜行部との間に、
前記基端部から前方に向かって斜め上方に延びる下部斜行部と、
前記下部斜行部に連続して形成され、後方に湾曲して前記斜行部に連続する湾曲部と、
を備える
椅子。
【請求項１３】
請求項１１または１２に記載の椅子であって、
前記斜行部において前記座との間に上下方向に間隔をあけた位置と前記座の前端部との間に設けられた前部支持部、
をさらに備える
椅子。
【請求項１４】
請求項１１から１３のいずれか一項に記載の椅子であって、
前記車輪支持部は、前記支持フレームの前記基端部が挿入される筒状のフレーム挿入部を有している
椅子。
【発明の詳細な説明】
【技術分野】
【０００１】
本発明は、椅子に関する。
【背景技術】
【０００２】
従来、オフィスや会議室などでは、キャスターや車輪などを有して床面上を移動可能に構成された椅子が用いられている。例えば、特許文献１および２には、キャスター付きの脚体を備える椅子が記載されている。
【０００３】
特許文献１および２に記載された椅子は、左右２本の前脚と左右２本の後脚とを有する脚体と、脚体に支持された座板と、を備えている。前脚および後脚の下端には、キャスターがそれぞれ取り付けられている。後脚は、座板に対して下方に向かって後方へ傾斜して延びており、後脚のキャスターは、座板の後端部よりも後方に位置している。
【０００４】
このような椅子に座る使用者は、椅子に座ったまま床面上を移動することができる。例えば、使用者は、足の裏全体または踵を床面に接した状態で上体を前方に傾けつつ足を折り曲げることで、椅子を前方に引き寄せるように移動することができる。また、使用者は、正面に対して側方に傾いた方向に足を配置させて上述と同様の動作を行うことで、その側方に傾いた方向に移動することができる。このような動作の際に、使用者は、自身の臀部から腰部の近傍を通り上下に延びる軸を中心として身体を捻るような動作を行い、これに追従して、椅子は、この使用者の臀部から腰部の近傍を通る軸を中心として回転し、その向きを変化させる。
【先行技術文献】
【特許文献】
【０００５】
【特許文献１】特許第４２５６０４１号公報
【特許文献２】実公平７−５０９８７号公報
【発明の概要】
【発明が解決しようとする課題】
【０００６】
上述した特許文献１および２に記載された椅子では、後脚のキャスターは、使用者が座る座板の後端部よりも後方に離れた位置に配置されている。このため、上述した使用者の臀部から腰部の近傍を通る軸を中心とした捻り動作への後脚のキャスターの追従性は高くなく、椅子の移動性について改善の余地があった。
【０００７】
本発明は、上記の事情を鑑みてなされたものであり、使用者が椅子に座ったまま移動する際の移動性を向上させることが可能な椅子を提供することを目的とする。
【課題を解決するための手段】
【０００８】
本発明の一態様によれば、椅子は、上方を向く座面を有する座と、前記座の後端側に設けられた背凭れと、前記座および前記背凭れを設置面に対して移動可能に支持する支持構造体と、を備える。前記支持構造体は、前記設置面に接することが可能な前輪と、前記前輪よりも後方に配置され、前記設置面に常に接するように設けられた後輪と、前記後輪よりも後方に配置され、前記設置面に接することが可能な後部支持部と、を有する。前記前輪および前記後輪の少なくとも一方は、前記座の幅方向に離間して一対設けられている。
前記後輪の中心軸は、前記座の後端部または前記背凭れの後端部よりも前方に配置されている。前記幅方向から見た側面視において、前記前輪の下端と前記後部支持部の下端とを結ぶ線分は、前記後輪の下端よりも上方に配置されている。
【０００９】
このような椅子によれば、後輪の中心軸は、座の後端部または背凭れの後端部よりも前方に配置されているので、座の前後方向における後輪の中心軸の位置は、椅子に座った状態の使用者の臀部から腰部の近傍に近くなる。よって、使用者の身体動作の軸とその動作に追従する後輪との距離が短くなるので、使用者の動作に後輪が追従しやすくなり、椅子の移動性を向上させることができる。加えて、後輪よりも後方には後部支持部が配置されているので、椅子が後方に傾いた場合でも後部支持部が設置面に接することによって、椅子の転倒を防止することができる。
【００１０】
上記の椅子において、前記前輪および前記後輪はともに、前記幅方向に離間して一対設けられていてもよい。前記一対の後輪は、前記幅方向において前記一対の前輪の間に位置していてもよい。
【００１１】
このような椅子によれば、前輪および後輪はともに幅方向に離間して一対設けられているので、座および背凭れをより安定して支持することができる。また、一対の後輪は幅方向において一対の前輪の間に位置しているので、前輪の幅方向の間隔を後輪よりも大きくすることができる。これにより、一対の前輪の間に使用者の足を配置する十分なスペースを確保することができるので、使用者が椅子に座ったまま移動する際に動かす足に前輪を接触しにくくすることができ、椅子の移動性をより向上させることができる。
【００１２】
上記の椅子において、前記後部支持部は、前記設置面に接することが可能な補助車輪であってもよい。
【００１３】
このような椅子によれば、後部支持部は補助車輪であるので、椅子が後方に傾いて後部支持部が設置面に接した状態でも、後輪と補助車輪とによって椅子を移動させることができる。よって、椅子の移動性をより向上させることができる。
【００１４】
上記の椅子において、前記後輪の中心軸は、前記幅方向に略沿って延びており、前記後輪の中心軸と前記座との相対角度は不変であってもよい。
【００１５】
このような椅子によれば、後輪の中心軸は幅方向に略沿って延びており、後輪の中心軸と座との相対角度が不変であるので、後輪は椅子が座の前後方向にのみ移動するように回転する。よって、椅子を直進させやすくするとともに、向きを変えて移動する場合の方向付けをより確実に行うことができる。したがって、椅子の移動性をより向上させることができる。
【００１６】
上記の椅子において、前記後輪の中心軸は、前記座の後端部よりも前方に配置されていてもよい。
【００１７】
このような椅子によれば、後輪の中心軸は座の後端部よりも前方に配置されているので、座の前後方向における後輪の中心軸の位置は、椅子に座った状態の使用者の臀部から腰部の近傍により近くなる。よって、使用者の身体動作の軸とその動作に追従する後輪との距離がより短くなるので、使用者の動作に後輪がより追従しやすくなり、椅子の移動性をより向上させることができる。
【００１８】
上記の椅子において、前記座面は、前記後輪よりも上方に配置されていてもよい。
【００１９】
このような椅子によれば、座面は後輪よりも上方に配置されているので、座面に座る使用者の腕や衣服などが後輪に接触しにくくすることができる。
【００２０】
上記の椅子において、前記後輪は、前記幅方向において前記座の前記幅方向の両端部の間に位置していてもよい。
【００２１】
このような椅子によれば、後輪は幅方向において座の幅方向の両端部の間に位置しているので、後輪は座の幅方向内側に配置される。よって、後輪は幅方向において椅子に座った状態の使用者の臀部から腰部の近傍のより近くに配置されるので、使用者の身体動作の軸とその動作に追従する後輪との距離がより短くなる。このため、使用者の動作に後輪がより追従しやすくなり、椅子の移動性をより向上させることができる。
【００２２】
上記の椅子において、前記後輪は、平面視において前記後輪の全体が前記座に覆われるように配置されていてもよい。
【００２３】
このような椅子によれば、後輪は平面視においてその全体が座に覆われるように配置されているので、後輪は使用者が座る座の真下に配置される。よって、後輪は椅子に座った状態の使用者の臀部から腰部の近傍のより近くに配置されるので、使用者の身体動作の軸とその動作に追従する後輪との距離がより短くなる。このため、使用者の動作に後輪がより追従しやすくなり、椅子の移動性をより向上させることができる。
【００２４】
上記の椅子において、前記幅方向から見た側面視において、前記前輪および前記後輪の共通接線のうち前記前輪および前記後輪の下方に配置される共通接線に直交し前記椅子の重心を通る直線は、前記後輪の中心軸と略交差していてもよい。
【００２５】
このような椅子によれば、側面視において前輪および後輪の下方に配置される共通接線に直交し椅子の重心を通る直線は、使用者が椅子に座って前輪および後輪が設置面に接している状態では、設置面に直交し椅子の重心を通る直線と略一致する。この重心を通る直線が側面視において後輪の中心軸と略交差するように後輪が配置されているので、使用者の動作への後輪の追従性をより高くすることができ、椅子の移動性をより向上させることができる。
【００２６】
上記の椅子において、前記後輪の径方向の寸法は、前記前輪の径方向の寸法よりも大きくてもよい。
【００２７】
このような椅子によれば、前輪よりも後輪に荷重がかかりやすいので、後輪の径方向の寸法を前輪の径方向の寸法よりも大きくすることで、椅子の安定性を高めることができる。
【００２８】
上記の椅子において、前記支持構造体は、前記前輪及び前記後輪を支持する車輪支持部と、前記車輪支持部と前記座とを連結する支持フレームと、を備える。前記支持フレームは、前記前輪より後方、かつ前記後輪よりも前方で前記車輪支持部に連結された基端部と、後方に向かって斜め上方に延びる斜行部と、前記斜行部の上端部に形成され、前記座に連結される座連結部と、を備えていてもよい。
【００２９】
このような椅子によれば、支持フレームの斜行部は、後方に向かって斜め上方に延びているので、使用者が座に着座した状態で、椅子を前方に移動させようとしたときに座に入力される力の分力は、斜行部を介して車輪支持部に伝達される。座に入力される力の分力は、前輪及び後輪を支持する車輪支持部に対し、前輪と後輪との間に、斜め上方から斜め下方に向かって作用するため、車輪支持部が下方に押さえられつつ、前方に押圧される。
【００３０】
上記の椅子において、前記基端部と前記斜行部との間に、前記基端部から前方に向かって斜め上方に延びる下部斜行部と、前記下部斜行部に連続して形成され、後方に湾曲して前記斜行部に連続する湾曲部と、を備えるようにしてもよい。
【００３１】
このような椅子によれば、前方に向かって斜め上方に延びる下部斜行部を設け、下部斜行部と斜行部とを湾曲部を介して連続させることで、座に座った使用者による鉛直荷重によって、車輪支持部を斜め前方から引っ張るような力が作用する。これによって、椅子の移動性をより向上させることができる。
【００３２】
上記の椅子において、前記斜行部において前記座との間に上下方向に間隔をあけた位置と前記座の前端部との間に設けられた前部支持部、をさらに備えるようにしてもよい。
【００３３】
このような椅子によれば、座を、斜行部の上端部に形成された座連結部と前部支持部とで、安定的に支持することができる。また、椅子を前方に移動させようとしたときに座に入力される力が、座の前端部側から前部支持部を介して斜行部に効率良く伝達される。
【００３４】
上記の椅子において、前記車輪支持部は、前記支持フレームの前記基端部が挿入される筒状のフレーム挿入部を有しているようにしてもよい。
【００３５】
このような椅子によれば、椅子の組立の際には支持フレームの基端部を車輪支持部のフレーム挿入部に挿入すれば良く、組立作業を容易に行うことができる。
【発明の効果】
【００３６】
上記の椅子によれば、使用者が椅子に座ったまま移動する場合の移動性を向上させることができる。
【図面の簡単な説明】
【００３７】
【図１】本発明の一実施形態に係る椅子の正面図である。
【図２】前記椅子の右側面図である。
【図３】前記椅子の平面図である。
【図４】前記椅子の底面図である。
【図５】前記椅子の背面図である。
【図６】図１のＡ−Ａ線における断面図である。
【図７】図２のＢ−Ｂ線における断面図である。
【図８】図１のＣ−Ｃ線における断面図である。
【発明を実施するための形態】
【００３８】
以下、本発明の一実施形態について、図１から図８を参照して説明する。
【００３９】
図１は、本実施形態に係る椅子１の正面図である。図２は、椅子１の右側面図である。
図３は、椅子１の平面図である。図４は、椅子１の底面図である。図５は、椅子１の背面図である。図６は、図１のＡ−Ａ線における断面図である。図７は、図２のＢ−Ｂ線における断面図である。図８は、図１のＣ−Ｃ線における断面図である。
【００４０】
以下の説明において、椅子１を設置する設置面である床面Ｆに垂直な方向を、上下方向Ｄｖと適宜称する。また、上下方向Ｄｖに直交し、使用者が椅子１の座に背凭れに背を向けて座った場合に使用者が正面を向く方向に沿った方向を、前後方向Ｄｆと適宜称する。
この場合に使用者の正面側を前方と称し、その反対側を後方と称する。また、上下方向Ｄｖおよび前後方向Ｄｆの両方に直交する方向を、幅方向Ｄｈと適宜称する。
【００４１】
図１から図８に示すように、椅子１は、上方を向く座面１１を有する座１０と、座１０の後端側に設けられた背凭れ２０と、座１０および背凭れ２０を床面Ｆに対して移動可能に支持する支持構造体３０と、を備えている。
【００４２】
座１０は、座１０の骨格を構成する座板１２と、座板１２の上面に取り付けられた座本体１３と、を有している。座板１２は、例えば硬質の樹脂から構成されている。座本体１３は、座板１２の上面に配置され、ウレタンなどから構成されたクッション材（不図示）と、クッション材の表面を覆う張り材と、を有している。
【００４３】
背凭れ２０は、背凭れ２０の骨格を構成するフレーム２１と、フレーム２１を覆う張り材２２と、を有している。フレーム２１は、例えば硬質の樹脂から構成されている。
【００４４】
図６に示すように、背凭れ２０は、連結部材１４によって座１０の後端部１０ｒに連結されている。連結部材１４は、座１０の後端部１０ｒに設けられ、座１０の幅方向Ｄｈの全体に渡って延びている。連結部材１４は、不図示のねじなどによって座板１２に固定されている。また、背凭れ２０の下端部２０ｂは、連結部材１４の上部に配置されている。
連結部材１４は、不図示のねじなどによってフレーム２１の下端部に固定されている。これによって、背凭れ２０は、座１０に固定されている。
【００４５】
座１０には、肘掛け１５が一対設けられている。一対の肘掛け１５、１５は、座１０を幅方向Ｄｈから挟むように配置されている。本実施形態では、一対の肘掛け１５、１５は、連結部材１４と一体的に形成されており、連結部材１４の幅方向Ｄｈの両端部からそれぞれ前方に延びて設けられている。
【００４６】
支持構造体３０は、床面Ｆに接することが可能な前輪３１と、前輪３１よりも後方に配置され、床面Ｆに常に接するように設けられた後輪３２と、後輪３２よりも後方に配置され、床面Ｆに接することが可能な後部支持部３３と、を有している。また、支持構造体３０は、支持フレーム３５と、前部フレーム（車輪支持部）３６と、支持体３８（車輪支持部）と、後部フレーム３９と、を有している。図１から図８では、前輪３１および後輪３２が床面Ｆに接し、後部支持部３３は床面Ｆから離れている状態を示している。
【００４７】
本実施形態では、後部支持部３３は、床面Ｆに接することが可能な補助車輪３４である。また、前輪３１、後輪３２、および補助車輪３４はそれぞれ、幅方向Ｄｈに離間して一対設けられている。前輪３１、後輪３２、および補助車輪３４は、座１０に固定された支持フレーム３５を介して座１０に接続されている。
【００４８】
一対の前輪３１、３１、一対の後輪３２、３２、および一対の補助車輪３４、３４はそれぞれ、幅方向Ｄｈに直交する平面に対して対称に構成されているので、以下ではそれらの一方の構成について説明する。また、一対の前輪３１、３１、一対の後輪３２、３２、および一対の補助車輪３４、３４がそれぞれ対向する側を、幅方向Ｄｈの内側と適宜称し、その反対側を幅方向Ｄｈの外側と適宜称する。
【００４９】
前輪３１は、公知の構成を有するキャスターを用いることができる。前輪３１は、上下方向Ｄｖに沿う軸回りに回転可能に前部フレーム３６の前端部３６ｆの下面に接続されている。前輪３１は、前部フレーム３６を介して支持フレーム３５に接続されている。
【００５０】
後輪３２は、略円盤状の車輪本体３７と、車輪本体３７を回転可能に支持する支持体３８と、車輪本体３７の幅方向Ｄｈの外側の側面に設けられたカバー部材４０と、を有している。後輪３２の回転中心となる中心軸Ｏ３２は、幅方向Ｄｈに略沿って延びており、座１０の後端部１０ｒよりも前方に配置されている。後輪３２の車軸３８ａは、支持体３８から中心軸Ｏ３２に沿って幅方向Ｄｈの外側に延びている。車軸３８ａは、中心軸Ｏ３２を中心として車輪本体３７に形成された中心孔３７ａに嵌合している。車輪本体３７は、中心孔３７ａに設けられた不図示の軸受によって、車軸３８ａ回り、すなわち中心軸Ｏ３２回りに回転可能に構成されている。また、後輪３２の径方向の寸法は、前輪３１の径方向の寸法よりも大きい。
【００５１】
支持体３８は、前部フレーム３６の後端部に一体に形成されている。支持体３８は、座１０に固定された支持フレーム３５に固定されている。よって、車軸３８ａも、座１０に対して固定されている。したがって、後輪３２の中心軸Ｏ３２は座１０に対して相対的に固定されており、中心軸Ｏ３２と座１０との相対角度は不変となっている。このため、後輪３２は椅子１が前後方向Ｄｆにのみ移動するように回転する。
【００５２】
車輪本体３７の幅方向Ｄｈの外側の側面には、幅方向Ｄｈの内側に向かって凹む凹部３７ｂが形成されている。凹部３７ｂは、中心軸Ｏ３２を中心とする略円形の断面を有している。カバー部材４０は、凹部３７ｂに嵌合可能な形状を有している。カバー部材４０は、凹部３７ｂに嵌合することによって、車輪本体３７に保持されている。
【００５３】
前部フレーム３６は、支持体３８から前方に延び、幅方向Ｄｈの外側に向かって湾曲している。これにより、前部フレーム３６の前端部３６ｆは、支持体３８よりも幅方向Ｄｈにおいて外側に位置している。前輪３１は、前部フレーム３６の前端部３６ｆの下側に配置されているので、一対の後輪３２、３２は、幅方向Ｄｈにおいて一対の前輪３１、３１の間に位置している。より具体的には、一対の後輪３２、３２において床面Ｆに接する位置は、幅方向Ｄｈにおいて一対の前輪３１、３１において床面Ｆに接する位置の間に配置されている。ここで、一対の前輪３１、３１の「間」とは、一対の前輪３１、３１が一対の前輪３１、３１の進行方向と一対の後輪３２、３２の進行方向とが略一致するような姿勢をとっている状態において、後輪３２の床面Ｆに接する部分のうち幅方向Ｄｈの最も外側に位置する部分が、前輪３１の床面Ｆに接する部分のうち幅方向Ｄｈの最も外側に位置する部分よりも、幅方向Ｄｈの内側に位置している状態を意味している。
支持体３８は、後述する支持フレーム３５の第一フレーム３５Ａの基端部３５１が挿入される筒状のフレーム挿入部３６１を有している。このフレーム挿入部３６１は、前輪３１より後方、かつ後輪３２よりも前方に形成されている。
上記の前部フレーム３６及び支持体３８によって、前輪３１及び後輪３２の車輪本体３７を支持する車輪支持部が構成されている。
【００５４】
補助車輪３４は、公知の構成を有するキャスターを用いることができる。補助車輪３４は、上下方向Ｄｖに沿う軸回りに回転可能に後部フレーム３９の後端部３９ｒの下面に接続されている。後部フレーム３９の前端部３９ｆは、ねじなどによって支持体３８に固定されており、後部フレーム３９は、支持体３８から後方に延びている。これによって、補助車輪３４は、後部フレーム３９を介して支持フレーム３５に接続されている。
【００５５】
図２および図６に示すように、前部フレーム３６および後部フレーム３９は、幅方向Ｄｈから見た側面視において、前輪３１の下端と補助車輪３４の下端を結ぶ線分Ｌ１が、後輪３２の下端よりも上方に配置されるように調整されている。このため、支持構造体３０において、前輪３１、後輪３２、および補助車輪３４が同時に平坦な床面Ｆに接することはなく、前輪３１および後輪３２のみが床面Ｆに接するか、または後輪３２および補助車輪３４のみが床面Ｆに接する。
【００５６】
支持フレーム３５は、前部フレーム３６及び支持体３８と座１０とを連結する。支持フレーム３５は、第一フレーム３５Ａと、第二フレーム（前部支持部）３５Ｂと、を有している。
【００５７】
図６に示すように、支持フレーム３５の第一フレーム３５Ａは、基端部３５１と、下部斜行部３５２と、湾曲部３５３と、斜行部３５４と、座連結部３５５と、を備える。
基端部３５１は、フレーム挿入部３６１に挿入されている。これにより、基端部３５１は、前輪３１より後方、かつ後輪３２の中心軸Ｏ３２よりも前方において前部フレーム３６及び支持体３８に連結されている。
下部斜行部３５２は、基端部３５１と斜行部３５４との間に形成され、基端部３５１から前方に向かって斜め上方に延びている。
湾曲部３５３は、下部斜行部３５２に連続して形成され、上方に向かって後方に湾曲している。
斜行部３５４は、湾曲部３５３に連続して形成され、後方に向かって斜め上方に延びている。
座連結部３５５は、幅方向両側に設けられた第一フレーム３５Ａの斜行部３５４の上端部同士を接続し、幅方向Ｄｈに略沿って延びている。この座連結部３５５は、不図示の固定手段を介して座板１２の下面に連結されており、座１０を支持している。
【００５８】
第二フレーム３５Ｂは、斜行部３５４において座１０との間に上下方向に間隔をあけた位置と座１０の前端部との間に設けられている。第二フレーム３５Ｂは、幅方向両側に設けられた第一フレーム３５Ａの斜行部３５４から、それぞれ幅方向Ｄｈの中央側に向かって斜め上方に延びている。第二フレーム３５Ｂは、幅方向Ｄｈの中央部が、不図示の固定手段を介して座板１２の下面に連結されており、座１０を支持している。
【００５９】
支持フレーム３５によって、座１０の座面１１は、後輪３２よりも上方に配置されている。また、一対の後輪３２、３２は、幅方向Ｄｈにおいて、座１０の幅方向Ｄｈの両端部１０ｅ、１０ｅの間に位置している。さらに、一対の後輪３２、３２は、平面視において一対の後輪３２、３２の全体が座１０に覆われるように配置されている。
【００６０】
支持フレーム３５、前部フレーム３６、支持体３８、および後部フレーム３９は、例えばアルミニウムなどの金属で構成されている。
【００６１】
次に、本実施形態に係る椅子１の動作について説明する。
【００６２】
椅子１自体の重心は、後輪３２の中心軸Ｏ３２よりも後方に位置している。このため、使用者が椅子１に座る前は、椅子１において後輪３２および補助車輪３４が床面Ｆに接しており、前輪３１は床面Ｆから上方に離れている。使用者が椅子１の座１０に座ると、重心が前方へ移動し、図１から図８に示すように前輪３１および後輪３２が床面Ｆに接し、補助車輪３４が床面Ｆから上方に離れた状態になる。
【００６３】
使用者が椅子１に座ったまま前方に移動する場合は、上述したように使用者は足を前方に向けて床面Ｆに着けて折り曲げ、椅子１を前方に引き寄せる。ここで、椅子１において、一対の後輪３２、３２は幅方向Ｄｈにおいて一対の前輪３１、３１の間に位置していることから、一対の前輪３１、３１の幅方向Ｄｈの間隔を一対の後輪３２、３２よりも大きくなっている。このため、一対の前輪３１、３１の間に使用者の足を配置する十分なスペースが確保されるので、上記の動作の際に使用者の足が前輪３１に接触しにくい。また、後輪３２は、椅子１が前後方向Ｄｆにのみ移動するように中心軸Ｏ３２が固定されているので、椅子１の前方への直進を容易に行うことができる。
【００６４】
また、使用者が椅子１に座ったまま前方に対して側方に傾いた方向に移動する場合は、使用者は足をその方向に向けて床面Ｆに着けて折り曲げ、椅子１をその方向に向くように回転させつつその方向に引き寄せる。このとき、使用者は、自身の臀部から腰部の近傍を通り上下に延びる軸を中心として身体を捻るような動作を行う。ここで、本実施形態に係る椅子１では、後輪３２の中心軸Ｏ３２は座１０の後端部１０ｒよりも前方に配置され、さらに、平面視において一対の後輪３２、３２の全体が座１０に覆われるように配置されている。これにより、後輪３２は使用者の臀部から腰部の近くに配置されるので、上述した使用者の動作に対する後輪３２の追従性が高くなる。後輪３２は、この使用者の動作に追従して床面Ｆ上を擦るように移動して座１０および背凭れ２０とともに向きを変え、足先の方向へ向かって直進する。
【００６５】
なお、後輪３２の中心軸Ｏ３２が座１０の後端部１０ｒよりも前方に配置されているので、椅子１が後方に傾いて倒れやすくなる可能性が考えられる。しかしながら、本実施形態に係る椅子１では、後輪３２の後方に後部支持部３３である補助車輪３４が設けられているので、補助車輪３４によって椅子１が後方に倒れることが防止されている。
【００６６】
本実施形態によれば、椅子１は、上方を向く座面１１を有する座１０と、座１０の後端側に設けられた背凭れ２０と、座１０および背凭れ２０を床面Ｆに対して移動可能に支持する支持構造体３０と、を備える。支持構造体３０は、床面Ｆに接することが可能な前輪３１と、前輪３１よりも後方に配置され、床面Ｆに常に接するように設けられた後輪３２と、後輪３２よりも後方に配置され、床面Ｆに接することが可能な後部支持部３３と、を有する。前輪３１および後輪３２は、幅方向Ｄｈに離間して一対設けられている。後輪３２の中心軸Ｏ３２は、座１０の後端部１０ｒよりも前方に配置されている。幅方向Ｄｈから見た側面視において、前輪３１の下端と後部支持部３３の下端とを結ぶ線分Ｌ１は、後輪３２の下端よりも上方に配置されている。
【００６７】
上述した構成によれば、後輪３２の中心軸Ｏ３２は、座１０の後端部１０ｒよりも前方に配置されているので、前後方向Ｄｆにおける後輪３２の中心軸Ｏ３２の位置は、椅子１に座った状態の使用者の臀部から腰部の近傍に近くなる。よって、使用者の身体動作の軸とその動作に追従する後輪３２との距離がより短くなるので、使用者の動作に後輪３２がより追従しやすくなり、椅子１の移動性を向上させることができる。加えて、後輪３２よりも後方には後部支持部３３が配置されているので、椅子１が後方に傾いた場合でも後部支持部３３が床面Ｆに接することによって、椅子１の転倒を防止することができる。
【００６８】
また、一対の後輪３２、３２は、幅方向Ｄｈにおいて一対の前輪３１、３１の間に位置している。このため、一対の前輪３１、３１の幅方向Ｄｈの間隔を一対の後輪３２、３２のものよりも大きくすることができる。これにより、一対の前輪３１、３１の間に使用者の足を配置する十分なスペースを確保することができるので、使用者が椅子１に座ったまま移動する際に動かす足に前輪３１を接触しにくくすることができ、椅子１の移動性をより向上させることができる。
【００６９】
また、後部支持部３３は、床面Ｆに接することが可能な補助車輪３４である。このため、椅子１が後方に傾いて後部支持部３３が床面Ｆに接した状態でも、後輪３２と補助車輪３４とによって椅子１を移動させることができる。よって、椅子１の移動性をより向上させることができる。
【００７０】
また、後輪３２の中心軸Ｏ３２は、幅方向Ｄｈに略沿って延びており、後輪３２の中心軸Ｏ３２と座１０との相対角度は不変である。このため、後輪３２は椅子１が前後方向Ｄｆにのみ移動するように回転する。よって、椅子１を直進させやすくするとともに、向きを変えて移動する場合の方向付けをより確実に行うことができる。したがって、椅子１の移動性をより向上させることができる。
【００７１】
また、座面１１は、後輪３２よりも上方に配置されている。このため、座面１１に座る使用者の腕や衣服などが後輪３２に接触しにくくすることができる。
【００７２】
また、後輪３２は、幅方向Ｄｈにおいて座１０の幅方向Ｄｈの両端部１０ｅ、１０ｅの間に位置している。よって、後輪は幅方向において椅子に座った状態の使用者の臀部から腰部の近傍のより近くに配置されるので、使用者の身体動作の軸とその動作に追従する後輪３２との距離がより短くなる。このため、使用者の動作に後輪３２がより追従しやすくなり、椅子１の移動性をより向上させることができる。
【００７３】
また、後輪３２は、平面視において後輪３２の全体が座１０に覆われるように配置されている。このため、後輪３２は使用者が座る座１０の真下に配置される。よって、後輪３２は椅子１に座った状態の使用者の臀部から腰部の近傍のより近くに配置されるので、使用者の身体動作の軸とその動作に追従する後輪３２との距離がより短くなる。このため、使用者の動作に後輪３２がより追従しやすくなり、椅子１の移動性をより向上させることができる。
【００７４】
また、後輪３２の径方向の寸法は、前輪３１の径方向の寸法よりも大きい。前輪３１よりも後輪３２に荷重がかかりやすいので、後輪３２の径方向の寸法を前輪３１の径方向の寸法よりも大きくすることで、椅子１の安定性を高めることができる。
【００７５】
また、支持フレーム３５の第一フレーム３５Ａは、前輪３１より後方、かつ後輪３２の中心軸Ｏ３２よりも前方で前部フレーム３６に連結された基端部３５１と、後方に向かって斜め上方に延びる斜行部３５４と、斜行部３５４の上端部に形成され、座１０に連結される座連結部３５５と、を備えている。このように、支持フレーム３５の斜行部３５４は、後方に向かって斜め上方に延びているので、使用者が座１０に着座した状態で、椅子１を前方に移動させようとしたときに座１０に入力される力の分力が、斜行部３５４を介して前部フレーム３６に伝達される。この分力は、前輪３１及び後輪３２の車輪本体３７を支持する前部フレーム３６及び支持体３８に対し、前輪３１と後輪３２の中心軸Ｏ３２との間のフレーム挿入部３６１を介し、斜め上方から斜め下方に向かって作用するため、前部フレーム３６が下方に押さえられつつ、前方に押圧される。これによって、椅子１の移動性をより向上させることができる。
また、使用者が座１０に着座した状態で鉛直方向下方への荷重が、斜行部３５４を介して前方に向かって斜め下方に向かう分力となる。これによって、鉛直方向下方への荷重の成分が小さくなるので、幅方向Ｄｈの両側の支持フレーム３５，３５同士を離間させようとするモーメントが小さくなる。
【００７６】
また、第一フレーム３５Ａは、基端部３５１と斜行部３５４との間に、基端部３５１から前方に向かって斜め上方に延びる下部斜行部３５２と、下部斜行部３５２に連続して形成され、後方に湾曲して斜行部３５４に連続する湾曲部３５３と、を備えている。
このように、前方に向かって斜め上方に延びる下部斜行部３５２を設け、下部斜行部３５２と斜行部３５４とを湾曲部３５３を介して連続させることで、座１０に座った使用者による鉛直荷重によって、前部フレーム３６を斜め前方から引っ張るような力が作用する。これによって、椅子１の移動性をより向上させることができる。
【００７７】
また、支持フレーム３５は、斜行部３５４において座１０との間に上下方向に間隔をあけた位置と座１０の前端部との間に設けられた第二フレーム３５Ｂをさらに備えている。これにより、座１０を、斜行部３５４の上端部と第二フレーム３５Ｂとで安定的に支持することができる。また、椅子１を前方に移動させようとしたときに座１０に入力される力が、座１０の前端部側から第二フレーム３５Ｂを介して斜行部３５４に効率良く伝達される。これによって、椅子１の移動性をより向上させることができる。
【００７８】
また、前部フレーム３６は、支持フレーム３５の基端部３５１が挿入される筒状のフレーム挿入部３６１を有している。このように構成することで、椅子１の組立の際には支持フレーム３５の基端部３５１を前部フレーム３６のフレーム挿入部３６１に挿入すれば良く、組立作業を容易に行うことができる。
【００７９】
また、前輪３１、後輪３２、前部フレーム３６、及び支持フレーム３５は、座１０の幅方向に間隔をあけて一対が設けられている。このように構成することで、座１０の下方に、使用者の下肢等を入れることのできる空間を形成することができる。
【００８０】
なお、本実施形態では、前輪３１および後輪３２はともに、幅方向Ｄｈに離間して一対設けられているとしたが、これに限らない。前輪３１および後輪３２の少なくとも一方が、幅方向Ｄｈに離間して一対設けられていればよい。また、前輪３１および後輪３２は、一対以上設けられていてもよい。例えば、一対の後輪３２、３２の間に、３輪目の後輪がさらに設けられていてもよい。
【００８１】
また、支持構造体３０は、幅方向Ｄｈから見た側面視において、前輪３１および後輪３２の共通接線のうち前輪３１および後輪３２の下方に配置される共通接線に直交し椅子１の重心を通る直線が、後輪３２の中心軸Ｏ３２と略交差するように構成されていてもよい。言い換えると、図２および図６に示す、前輪３１および後輪３２の下方に配置される共通接線Ｌ２（図２および図６では床面Ｆに一致する）に直交し、後輪３２の中心軸Ｏ３２を通る直線Ｌ３上に、椅子１の重心が配置されていてもよい。このように構成することで、使用者の動作への後輪３２の追従性をさらに高くすることができ、椅子１の移動性をさらに向上させることができる。
【００８２】
後輪３２の中心軸Ｏ３２は、座１０の後端部１０ｒよりも前方に配置されているとしたが、座１０の後端部１０ｒよりも背凭れ２０の後端部２０ｒの方が後方に配置されている場合には、少なくとも背凭れ２０の後端部２０ｒよりも前方に配置されていればよい。すなわち、後輪３２の中心軸Ｏ３２は、座１０の後端部１０ｒおよび背凭れ２０の後端部２０ｒのうちの後方に配置されているものよりも前方に配置されていればよい。
【００８３】
また、後輪３２の中心軸Ｏ３２は、幅方向Ｄｈに略沿って延びているとしたが、これは、後輪３２の中心軸Ｏ３２が、椅子１を前後方向Ｄｆに移動させるのに支障のない範囲で幅方向Ｄｈに対して傾いている場合も含む。
【００８４】
一対の前輪３１、３１と一対の後輪３２、３２との幅方向Ｄｈにおける位置関係は、上述したものに限られず、以下に示す態様であってもよい。例えば、後輪３２の床面Ｆに接する部分のうち幅方向Ｄｈの最も外側に位置する部分が、前輪３１の床面Ｆに接する部分のうち幅方向Ｄｈの最も内側に位置する部分よりも、幅方向Ｄｈの内側に位置していてもよい。また、前輪３１の幅方向Ｄｈの内側の側面よりも、後輪３２の幅方向Ｄｈの内側の側面は幅方向Ｄｈの外側に位置していてもよい。なお、この場合に、前輪３１の幅方向Ｄｈの寸法を後輪３２の幅方向Ｄｈの寸法よりも大きくし、後輪３２の幅方向Ｄｈの外側の側面が前輪３１の幅方向Ｄｈの外側の側面よりも幅方向Ｄｈの内側に位置しているようにしてもよい。さらに、後輪３２の床面Ｆに接する部分のうち幅方向Ｄｈの最も外側に位置する部分が、前輪３１の床面Ｆに接する部分のうち幅方向Ｄｈの最も外側に位置する部分よりも幅方向Ｄｈの内側に位置している状態で、後輪３２の床面Ｆに接する部分よりも上方の部分、例えば車輪本体３７の上下方向Ｄｖの中央部分やカバー部材４０など、において幅方向Ｄｈの最も外側の部分は、前輪３１の床面Ｆに接する部分のうち幅方向Ｄｈの最も外側に位置する部分よりも幅方向Ｄｈの外側に位置していてもよい。例えば、車輪本体３７の上下方向Ｄｖの中央部分やカバー部材４０の幅方向Ｄｈの寸法を大きくすることによって、車輪本体３７の上下方向Ｄｖの中央部分やカバー部材４０のうち幅方向Ｄｈの最も外側の部分が、前輪３１の床面Ｆに接する部分のうち幅方向Ｄｈの最も外側に位置する部分よりも幅方向Ｄｈの外側に位置していてもよい。
【００８５】
後部支持部３３は、補助車輪３４であるとしたが、これに限らない。後部支持部３３は、床面Ｆに接することが可能な構成を有していれば、車輪でなくてもよい。
【００８６】
座１０および背凭れ２０の構造は、上述したものに限られず、公知の構造を適宜適用することができる。また、座１０と背凭れ２０とは、直接的に互いに連結されていなくてもよい。座１０には一対の肘掛け１５が設けられていたが、座１０に肘掛けが設けられていなくてもよい。
【００８７】
以上、本発明の好ましい実施形態を説明したが、本発明はこれら実施形態に限定されることはない。本発明の趣旨を逸脱しない範囲で、構成の付加、省略、置換、およびその他の変更が可能である。
【符号の説明】
【００８８】
１  椅子
１０  座
１０ｅ  端部
１０ｒ  後端部
１１  座面
２０  背凭れ
２０ｒ  後端部
３０  支持構造体
３１  前輪
３２  後輪
３３  後部支持部
３４  補助車輪
３５  支持フレーム
３５Ａ  第一フレーム
３５Ｂ  第二フレーム（前部支持部）
３６  前部フレーム（車輪支持部）
３８  支持体（車輪支持部）
３５１  基端部
３５２  下部斜行部
３５３  湾曲部
３５４  斜行部
３５５  座連結部
３６１  フレーム挿入部
Ｄｆ  前後方向
Ｄｈ  幅方向
Ｄｖ  上下方向
Ｆ  床面（設置面）
Ｌ１  線分
Ｌ２  共通接線
Ｌ３  直線
Ｏ３２  中心軸
【図１】
2018057785.tif 000003
【図２】
2018057785.tif 000004
【図３】
2018057785.tif 000005
【図４】
2018057785.tif 000006
【図５】
2018057785.tif 000007
【図６】
2018057785.tif 000008
【図７】
2018057785.tif 000009
【図８】
2018057785.tif 000010